(57)【要約】【課題】取水動作を短時間で完了することが可能な取水設備を提供する。【解決手段】この取水設備１００は、取水時に湖水が通る側面視で略逆Ｕ字状の取水管１１Ａと、この取水管１１Ａの頂部１１ｄ近傍に接続される本配管１２と、この本配管１２に設けられる第１圧力センサ２３と、本配管１２を通して取水管１１Ａに対する空気の給排を行うことで、取水管１１Ａ内の上部に形成される空気溜り１６の容積を増減させ、止水・通水の取水状態を制御する操作室２と、取水管１１Ａの頂部１１ｄ近傍に接続される予備配管１３と、この予備配管１３に設けられる第２圧力センサ２５とを備えている。そして、第２圧力センサ２５によって予備配管１３を介して取水管１１Ａ内の空気溜り１６の気圧を測定している。【選択図】図５
2009228258.tif 000002
【特許請求の範囲】
【請求項１】
ダム湖等に設けられ、水を取水するように構成された取水設備であって、
取水時に水が通る側面視で略逆Ｕ字状の通路部と、この通路部の頂部近傍に接続される第１配管と、この第１配管に設けられる第１圧力センサと、前記第１配管を通して前記通路部に対する空気の給排を行うことで、前記通路部内の上部に形成される空気溜りの容積を増減させ、止水・通水の取水状態を制御する取水制御部とを備えるとともに、
前記通路部の頂部近傍に接続される第２配管と、この第２配管に設けられる第２圧力センサとを備え、
少なくとも前記第２圧力センサによって前記第２配管を介して前記通路部内の空気溜りの気圧を測定するようにしたことを特徴とする取水設備。
【請求項２】
前記第１圧力センサおよび前記第２圧力センサは、それぞれ、センサ用配管を介して前記第１配管および前記第２配管に接続されるとともに、前記センサ用配管同士がバルブを有するバイパス管で連結され、前記第１圧力センサのセンサ用配管の前記バイパス管との接続箇所よりも第１配管側の部分にバルブが設けられていることを特徴とする請求項１に記載の取水設備。
【請求項３】
ダム湖等に設けられ、水を取水するように構成された取水設備であって、
取水時に水が通る側面視で略逆Ｕ字状の通路部と、この通路部の頂部近傍に接続される第１配管と、この第１配管を通して前記通路部に対する空気の給排を行うことで、前記通路部内の上部に形成される空気溜りの容積を増減させ、止水・通水の取水状態を制御する取水制御部とを備えるとともに、
前記通路部の頂部近傍に接続される第２配管と、この第２配管に設けられる圧力センサとを備え、
前記圧力センサによって前記第２配管を介して前記通路部内の空気溜りの気圧を測定するようにしたことを特徴とする取水設備。
【請求項４】
前記第２配管は、前記第１配管に代えて前記通路部に対する給排気を行い得るように構成された予備配管であることを特徴とする請求項１〜３のいずれか一項に記載の取水設備。
【請求項５】
ダム湖等の水面位置を検出する水位計をさらに備え、
前記水位計により検出されるダム湖等の水面位置の変動データと、前記圧力センサによって測定された通路部内の気圧データとから、前記圧力センサの異常を検出するように構成したことを特徴とする請求項１〜４のいずれか一項に記載の取水設備。
【発明の詳細な説明】
【技術分野】
【０００１】
本発明は、ダム湖等の水を取水するための取水設備に関する。
【背景技術】
【０００２】
従来、例えばダム湖に設けられ、湖水を取水するように構成された取水設備が知られている（例えば、特許文献１）。
【０００３】
この取水設備は、取水時に湖水が通る略逆Ｕ字状の取水管（通路部）と、この取水管の頂部近傍に接続される配管とを備えており、この配管を通して取水管に対する圧縮空気の給排を行うことで、取水管内の上部に形成される空気溜りの容積を増減させ、止水・通水の取水状態を制御するように構成されている。
【０００４】
また、取水設備は、配管に設けた圧力センサによって取水管内の空気溜りの気圧を測定するように構成されている。そして、例えば予め取得しておいた取水管内の気圧と取水管内の水面位置（水位）との相関データを用いて、ダム湖等の水深および取水管内の気圧から取水管内の水位を検出し、これによって給排気の停止タイミング等をとっていた。
【０００５】
ところで、圧縮空気を給排するための配管では、給排気に伴い当該配管内に発生する気流によって配管内の気圧が大きく乱れることがあるため、給排気中に取水管内の気圧を正確に測定することが困難である。そこで、従来では、給排気を適当なタイミングで一時的に停止させ、取水管内の気圧が安定した状態で圧力センサにより取水管内の気圧の測定を行うことによって当該取水管内の正確な気圧を把握していた。
【特許文献１】特許第３３３９０２３号
【発明の開示】
【発明が解決しようとする課題】
【０００６】
しかしながら、上記のような従来の取水設備では、取水管内の正確な気圧を短時間で測定するのが困難であり、取水管内の水位が所望の水位になったことを検出するのに多くの時間を要する。このため、取水動作を短時間で完了させたいという要望がある。
【０００７】
本発明は、上記のような要望に応えるためになされたものであり、取水動作を短時間で完了することが可能な取水設備を提供することを目的とする。
【課題を解決するための手段】
【０００８】
請求項１の発明は、ダム湖等に設けられ、水を取水するように構成された取水設備であって、取水時に水が通る側面視で略逆Ｕ字状の通路部と、この通路部の頂部近傍に接続される第１配管と、この第１配管に設けられる第１圧力センサと、前記第１配管を通して前記通路部に対する空気の給排を行うことで、前記通路部内の上部に形成される空気溜りの容積を増減させ、止水・通水の取水状態を制御する取水制御部とを備えるとともに、前記通路部の頂部近傍に接続される第２配管と、この第２配管に設けられる第２圧力センサとを備え、少なくとも前記第２圧力センサによって前記第２配管を介して前記通路部内の空気溜りの気圧を測定するようにしたことを特徴とするものである。
【０００９】
請求項２の発明は、請求項１に記載の取水設備において、前記第１圧力センサおよび前記第２圧力センサは、それぞれ、センサ用配管を介して前記第１配管および前記第２配管に接続されるとともに、前記センサ用配管同士がバルブを有するバイパス管で連結され、前記第１圧力センサのセンサ用配管の前記バイパス管との接続箇所よりも第１配管側の部分にバルブが設けられていることを特徴とするものである。
【００１０】
請求項３の発明は、ダム湖等に設けられ、水を取水するように構成された取水設備であって、取水時に水が通る側面視で略逆Ｕ字状の通路部と、この通路部の頂部近傍に接続される第１配管と、この第１配管を通して前記通路部に対する空気の給排を行うことで、前記通路部内の上部に形成される空気溜りの容積を増減させ、止水・通水の取水状態を制御する取水制御部とを備えるとともに、前記通路部の頂部近傍に接続される第２配管と、この第２配管に設けられる圧力センサとを備え、前記圧力センサによって前記第２配管を介して前記通路部内の空気溜りの気圧を測定するようにしたことを特徴とするものである。
【００１１】
請求項４の発明は、請求項１〜３のいずれか一項に記載の取水設備において、前記第２配管は、前記第１配管に代えて前記通路部に対する給排気を行い得るように構成された予備配管であることを特徴とするものである。
【００１２】
請求項５の発明は、請求項１〜４のいずれか一項に記載の取水設備において、ダム湖等の水面位置を検出する水位計をさらに備え、前記水位計により検出されるダム湖等の水面位置の変動データと、前記圧力センサによって測定された通路部内の気圧データとから、前記圧力センサの異常を検出するように構成したことを特徴とするものである。
【発明の効果】
【００１３】
請求項１の発明では、第２圧力センサによって第２配管を介して通路部内の空気溜りの気圧を測定するようにした。ここで、給排気が行われる第１配管では、給排気に伴い当該第１配管内に発生する気流によって、第１配管内の気圧が大きく乱れることがある。その一方、第１配管と通路部を介して繋がっている第２配管では、給排気の際に、第１配管で発生するような気流が発生せず、当該第２配管内の気圧には乱れがほとんど生じない。従って、本発明によれば、例えば第１圧力センサによって第１配管を介して通路部内の気圧を測定する場合と異なり、第２圧力センサによって通路部内の気圧を給排気中であっても正確に測定することができる。これにより、通路部内の空気溜りの気圧と相関関係にある通路部内の水面位置（水位）を、給排気を行いながら正確に検出することができるので、通路部内の水位が所望の水位になったことを直ちに検出して給排気を停止することができる。その結果、取水動作を短時間で完了することができる。
【００１４】
なお、本発明では、第２圧力センサによる第２配管を介しての気圧測定と並行して第１圧力センサによって第１配管を介して通路部内の気圧を測定することも勿論可能である。また、例えば第２圧力センサに不具合が発生した場合には、第１配管に設けられた第１圧力センサによって通路部内の気圧を測定することができる。
【００１５】
請求項２の発明によれば、第２圧力センサの不具合等の非常時には、第１圧力センサのセンサ用配管のバルブを閉状態にするとともにバイパス管のバルブを開状態にすることにより、バイパス管によって第１圧力センサを第２配管に連通させることができるようになるので、第１圧力センサによって第２配管を介して通路部内の気圧を給排気中に正確に測定することができるようになる。
【００１６】
請求項３の発明では、圧力センサによって第２配管を介して通路部内の空気溜りの気圧を測定するようにした。ここで、給排気が行われる第１配管では、給排気に伴い当該第１配管内に発生する気流によって、第１配管内の気圧が大きく乱れることがある。その一方、第１配管と通路部を介して繋がっている第２配管では、給排気の際に、第１配管で発生するような気流が発生せず、当該第２配管内の気圧には乱れがほとんど生じない。従って、本発明によれば、例えば第１配管に圧力センサを設け、その第１配管の圧力センサによって第１配管を介して通路部内の気圧を測定する場合と異なり、第２配管の圧力センサによって通路部内の気圧を給排気中であっても正確に測定することができる。これにより、通路部内の空気溜りの気圧と相関関係にある通路部内の水面位置（水位）を、給排気を行いながら正確に検出することができるので、通路部内の水位が所望の水位になったことを直ちに検出して給排気を停止することができる。その結果、取水動作を短時間で完了することができる。
【００１７】
また、本発明では、第２配管のみに圧力センサを設けたので、構成を簡略化することができる。
【００１８】
請求項４の発明によれば、第１配管の使用不能時等に当該第１配管に代えて給排気を行うための予備配管に、通路部内の気圧を測定する圧力センサを設けたので、圧力センサ専用の配管を別途設ける必要がなく、経済的である。
【００１９】
請求項５の発明によれば、水位計を用いて圧力センサの異常を簡単に検出することができる。
【発明を実施するための最良の形態】
【００２０】
以下、本発明の実施形態を図面に基づいて説明する。
（第１実施形態）
図１は、本発明の第１実施形態による取水設備の全体構成を示した側面図である。図２は、図１に示した取水塔の拡大断面図である。図３は、図１に示した取水設備の構成を概略的に示した説明図である。図４（ａ）は、通水状態の取水管の側面断面図であり、図４（ｂ）は、止水状態の取水管の側面断面図である。図５は、第１実施形態の取水設備の操作室の構成を概略的に示した説明図である。図６は、図５に示した取水設備において予備配管により給排気を行う場合の操作室の構成を概略的に示した説明図である。
【００２１】
第１実施形態の取水設備１００は、図１に示すように、ダム湖５０に立直する姿勢で設けられており、当該ダム湖５０の表層から深層までの複数箇所（本実施形態では４箇所）から湖水を選択的に取水可能なように構成されている。
【００２２】
取水設備１００は、湖水を取水する取水塔１と、この取水塔１の上面に設けられ、取水塔１の取水動作を制御する操作室（取水制御部）２とを備えている。
【００２３】
取水塔１は、取水時に湖水が通る側面視で略逆Ｕ字状の４つの取水管（通路部）１１Ａ〜１１Ｄと、これらの取水管１１Ａ〜１１Ｄの各々に接続される本配管（第１配管）１２および予備配管（第２配管）１３と、塔槽１４と、放流管１５とを含んでいる。なお、取水管の数は、４つに限定されるものではない。
【００２４】
取水管１１Ａ〜１１Ｄは、上下に所定間隔を隔てて並設されている。これらの取水管１１Ａ〜１１Ｄは、各々の通水状態および止水状態が各取水管で独立して切り替わるように操作室２によって制御され、これによって湖水が選択的に取水されるようになっている。
【００２５】
以下、最上部の取水管１１Ａに関する構成について説明する。なお、取水管１１Ｂ〜１１Ｄについても取水管１１Ａと略同構成であるのでその詳細な説明は省略する。
【００２６】
取水管１１Ａは、図１に示すように、当該取水管１１Ａのダム湖５０に臨む端部から流れ込んだ（矢印ａ参照）湖水を、取水管１１Ａの反対側の端部から塔槽１４に流出させる（矢印ｂ参照）ことで、ダム湖５０の湖水を取水するように構成されている。
【００２７】
取水管１１Ａは、図２〜図４に示すように、側面視で略逆Ｌ字状の上流管部１１ａと、側面視で半円環状の中流管部１１ｂと、側面視で略Ｌ字状の下流管部１１ｃとを有している。
【００２８】
本配管１２は、操作室２で生成されて取水管１１Ａに供給される圧縮空気の通路として機能するものである。なお、図示していないが、本配管１２の途中には、別途設けられた圧縮空気排出用のバルブ付きの排気配管が接続されており、排気時にはこの排気配管を通して取水管１１Ａ内の圧縮空気が排出されるようになっている。
【００２９】
また、本実施形態の予備配管１３は、本配管１２の不具合等による使用不能時に、本配管１２の代用として取水管１１Ａに圧縮空気の給排を行うための配管である。
【００３０】
本配管１２および予備配管１３は、取水管１１Ａの頂部１１ｄ近傍の対向位置、より詳細には中流管部１１ｂの正面視で左右両壁面の上端近傍にそれぞれ接続されている。これらの本配管１２および予備配管１３は、操作室２内に引き込まれている。
【００３１】
本配管１２は、図５に示すように、取水管側配管１２ａと、コンプレッサー側配管１２ｂと、連結配管１２ｃとで構成されている。取水管側配管１２ａの一部と、コンプレッサー側配管１２ｂと、連結配管１２ｃとは、操作室２内に配されている。コンプレッサー側配管１２ｂには、当該配管の開閉状態を切り替えるためのバルブ１２ｄが設けられている。
【００３２】
予備配管１３は、取水管側配管１３ａと、連結配管１３ｃとで構成されている。取水管側配管１３ａの一部と、連結配管１３ｃとは、操作室２内に配されている。そして、本配管１２の使用不能時に予備配管１３を代用する場合には、図６に示すように、連結配管１３ｄを用いて、連結配管１３ｃとコンプレッサー側配管１２ｂとを連結することになる。
【００３３】
塔槽１４には、止水状態の取水管１１Ａのエアーロック（後記に詳述する）が解除されるのを防ぐべく、当該塔槽１４の水面１４ａの高さ位置がダム湖５０の湖面５１の高さ位置よりも下方となるように調整された量の水が貯留されている。塔槽１４の水は、適宜、放流管１５を通って河川等に放流される。
【００３４】
次に、操作室２の構成について説明する。
【００３５】
操作室２は、本配管１２を通して取水管１１Ａに対する空気の給排を行うことで、取水管１１Ａ内の上部に形成される空気溜り１６の容積を増減させ、止水・通水の取水状態を制御する機能を有している。
【００３６】
操作室２は、図５に示すように、建物２０内に、コンプレッサー２１と、レシーバタンク２２と、第１圧力センサ２３と、センサ用配管２４と、第２圧力センサ２５と、センサ用配管２６と、バイパス管２７とが配設されることで構成されている。
【００３７】
また、操作室２には、図略の制御装置が設けられており、この制御装置によってコンプレッサー２１や後述するバルブの開閉等の動作が制御されるようになっている。
【００３８】
コンプレッサー２１は、空気を圧縮するためのものである。
【００３９】
レシーバタンク２２は、配管２９によってコンプレッサー２１と連結されており、コンプレッサー２１で圧縮された空気を確保するように構成されている。なお、配管２９には、当該配管２９の開閉状態を切り替えるためのバルブ２９ａが設けられている。また、レシーバタンク２２には、取水管１１Ａ〜１１Ｄの各本配管１２が接続されている。
【００４０】
第１圧力センサ２３は、センサ用配管２４によって本配管１２のコンプレッサー側配管１２ｂに接続されている。この第１圧力センサ２３は、本配管１２を介して取水管１１Ａ内の気圧を測定する機能を有している。
【００４１】
第２圧力センサ２５は、センサ用配管２６によって予備配管１３の連結配管１３ｃに接続されている。そして、本実施形態の第２圧力センサ２５は、予備配管１３を介して取水管１１Ａ内の気圧を測定する機能を有している。
【００４２】
バイパス管２７は、センサ用配管２４，２６同士を連結するものである。このバイパス管２７には、当該バイパス管２７の開閉状態を切り替えるためのバルブ２８ｅが設けられている。バルブ２８ｅは、本配管１２によって給排気が行われている通常（正常）時には、閉状態となっている。
【００４３】
また、センサ用配管２４のバイパス管２７との接続箇所よりも第１圧力センサ２３側の部分であるセンサ側管部２４ａには、当該センサ側管部２４ａの開閉状態を切り替えるためのバルブ２８ａが設けられている。また、センサ用配管２４のバイパス管２７との接続箇所よりも本配管１２側の部分である本配管側管部２４ｂには、当該本配管側管部２４ｂの開閉状態を切り替えるためのバルブ２８ｂが設けられている。
【００４４】
また、センサ用配管２６のバイパス管２７との接続箇所よりも第２圧力センサ２５側の部分であるセンサ側管部２６ａには、当該センサ側管部２６ａの開閉状態を切り替えるためのバルブ２８ｃが設けられている。また、センサ用配管２６のバイパス管２７との接続箇所よりも予備配管１３側の部分である予備配管側管部２６ｂには、当該予備配管側管部２６ｂの開閉状態を切り替えるためのバルブ２８ｄが設けられている。これらのバルブ２８ａ〜２８ｄは、本配管１２によって給排気が行われている通常時には、開状態となっている。
【００４５】
以上のように構成された本実施形態の取水設備１００では、図４（ａ）に示す通水状態において、操作室２から本配管１２を通して取水管１１Ａに圧縮空気が供給されると、取水管１１Ａ内の上部に圧縮空気の空気溜り１６（図４（ｂ）参照）が形成される。そして、圧縮空気の供給により空気溜り１６の容積が増大するのに伴って、取水管１１Ａ内の水面Ｓの位置（水位）が押し下げられ、当該取水管１１Ａの中流管部１１ｂの内周部分である山形部１１ｅが表出する。これによって、取水管１１Ａのエアーロックがなされ、通水状態から止水状態へと移行する。
【００４６】
また、図４（ｂ）に示す止水状態において、操作室２により上記図略の排気配管のバルブが開かれる制御が行われると、取水管１１Ａ内の圧縮空気が本配管１２から排気配管を通って排出される。そして、取水管１１Ａ内の空気溜り１６の容積が減少し、それに伴って、取水管１１Ａ内の水位が上昇し、山形部１１ｅが水面Ｓに没する。これによって、取水管１１Ａのエアーロックが解除されて湖水が取水管１１Ａ内を図４（ａ）の矢印ｃ方向に流れるようになり、止水状態から通水状態へと移行する。なお、ダム湖５０の湖面５１位置が取水管１１Ａの頂部１１ｄよりも低い場合には、図略の真空ポンプを用いた真空引きによって通水されることもある。
【００４７】
このように、取水管１１Ａ内の空気溜り１６の気圧と、取水管１１Ａ内の水面Ｓの高さ位置（水位）とは、気圧が高いと水位は低く、逆に、気圧が低いと水位は高くなる相関関係にある。従って、ダム湖５０の湖面５１の高さ、すなわちダム湖５０の水深と、空気溜り１６の気圧とから、取水管１１Ａ内の水位を間接的に測定することができ、取水管１１Ａ内の水位が、例えば止水のための水位に達したことを検出して、圧縮空気の供給を停止する制御を行うことができる。なお、ダム湖５０の湖面５１には、図１に示すように、フロート式水位計３が浮かべられており、このフロート式水位計３によってダム湖５０の水深がリアルタイムで計測されるようになっている。
【００４８】
ところで、圧縮空気を給排するための本配管１２では、給排気に伴い当該本配管１２内に気流が発生し、これによって本配管１２内の気圧が大きく乱れることがある。このため、給排気中に第１圧力センサ２３によって取水管１１Ａ内の気圧を正確に測定することは困難である。しかし、本実施形態では、上述したように、予備配管１３側の第２圧力センサ２５でも取水管１１Ａ内の気圧を測定している。そして、本配管１２と取水管１１Ａを介して繋がっている予備配管１３では、給排気の際に、本配管１２で発生するような気流が発生せず、当該予備配管１３内の気圧には乱れがほとんど生じない。従って、第２圧力センサ２５によって取水管１１Ａ内の気圧を給排気中であっても正確に測定可能となっている。
【００４９】
また、第１実施形態の取水設備１００では、例えば、第２圧力センサ２５の故障時には、バルブ２８ｅを開状態にするとともに、バルブ２８ｂを閉状態にする制御を行うことによって、第１圧力センサ２３がバイパス管２７を通して予備配管１３に連通し、これによって第１圧力センサ２３によって予備配管１３を介して取水管１１Ａの気圧を正確に測定可能となっている。
【００５０】
また、上記フロート式水位計３によって取得された水深データと、各圧力センサ２３，２５により測定された取水管１１Ａの気圧データとを比較し、例えばダム湖５０の水深が変動しているのに、圧力センサ２３，２５側に、対応する変動が見受けられない場合には、各圧力センサ２３，２５に異常が発生していると判断してその異常を検出することができるようになっている。
【００５１】
また、圧力センサ２３，２５による各気圧データ同士を比較することによって、圧力センサ２３，２５のいずれか一方に異常が発生していることを検出することもできるようになっている。
【００５２】
第１実施形態では、上記のように、第２圧力センサ２５によって予備配管１３を介して取水管１１Ａ内の空気溜り１６の気圧を測定するようにした。ここで、給排気が行われる本配管１２では、給排気に伴い当該本配管１２内に発生する気流によって、本配管１２内の気圧が大きく乱れることがある。その一方、本配管１２と取水管１１Ａを介して繋がっている予備配管１３では、給排気の際に、本配管１２で発生するような気流が発生せず、当該予備配管１３内の気圧には乱れがほとんど生じない。すなわち、予備配管１３内は、静圧力（静気圧）となっている。従って、本実施形態によれば、第１圧力センサ２３によって本配管１２を介して取水管１１Ａ内の気圧を測定する場合と異なり、第２圧力センサ２５によって取水管１１Ａ内の気圧を給排気中であっても正確に測定することができる。これにより、取水管１１Ａ内の空気溜り１６の気圧と相関関係にある取水管１１Ａ内の水面Ｓの位置（水位）を、給排気を行いながら正確に検出することができるので、取水管１１Ａ内の水位が所望の水位になったことを直ちに検出して給排気を停止することができる。その結果、取水動作を短時間で完了することができる。
【００５３】
また、第１実施形態では、例えば第２圧力センサ２５に不具合が発生した場合には、本配管１２に設けられた第１圧力センサ２３によって取水管１１Ａ内の気圧を測定することができる。
【００５４】
また、第１実施形態では、上記のように、第２圧力センサ２５の不具合等の非常時には、第１圧力センサ２３のセンサ用配管２４のバルブ２８ｂを閉状態にするとともにバイパス管２７のバルブ２８ｅを開状態にすることにより、バイパス管２７によって第１圧力センサ２３を予備配管１３に連通させることができるので、第１圧力センサ２３によって予備配管１３を介して取水管１１Ａ内の気圧を給排気中に正確に測定することができる。
【００５５】
また、第１実施形態では、上記のように、本配管１２の使用不能時等に当該本配管１２に代えて給排気を行うための予備配管１３に、取水管１１Ａ内の気圧を測定する圧力センサ２５を設けたので、圧力センサ２５専用の配管を別途設ける必要がなく、経済的である。
【００５６】
また、第１実施形態では、上記のように、フロート式水位計３により検出されるダム湖５０の湖面５１位置（水深）の変動データと、圧力センサ２３，２５によって測定された取水管１１Ａ内の気圧データとを比較することで、フロート式水位計３を用いて圧力センサ２３，２５の異常を簡単に検出することができる。
（第２実施形態）
図７は、第２実施形態による取水設備の操作室の構成を概略的に示した説明図であり、図８は、図７に示した取水設備において予備配管により給排気を行う場合の操作室の構成を概略的に示した説明図である。
【００５７】
第２実施形態の取水設備の操作室２０２において、第１実施形態と異なる点は、図７および図８に示すように、本配管１２に第１圧力センサ２３が設けられていない点である。
【００５８】
この構成によれば、第２圧力センサ２５によって予備配管１３を介して取水管１１Ａ内の気圧を給排気中に正確に測定して、取水動作を短時間で完了することができるという上記第１実施形態と同様の効果をより簡略な構成で実現することができる。
【００５９】
なお、上記実施形態では、ダム湖に設けた取水設備に本発明を適用する例について示したが、これに限らず、河川や海に設けた取水設備にも適用可能である。
【００６０】
また、図９および図１０に示す第１実施形態の変形例による取水設備を採用することもできる。この変形例の取水設備の操作室３０２では、第１圧力センサ２３のセンサ用配管２４が本配管１２の取水管側配管１２ａに接続されている。この構成によれば、本配管１２の不具合等によって予備配管１３を給排気用配管として代用した場合（図１０参照）に、第１圧力センサ２３によって本配管１２を介して取水管１１Ａ内の気圧を給排気中に正確に測定することができるようになる。
【００６１】
また、上記変形例を、第２実施形態に適用して、第２圧力センサ２５をバルブ付のバイパス管（図略）によって本配管１２の取水管側配管１２ａに接続しておけば、本配管１２の使用不能時に予備配管１３を代用した場合に、第２圧力センサ２５をバイパス管を介して本配管１２に連通させ、第２圧力センサ２５によって本配管１２を介して取水管１１Ａ内の気圧を給排気中に正確に測定することができるようになる。
【００６２】
また、図１１に示すような側面視で略逆Ｖ字状の複数の通路部４１１を有する連続サイホン式の取水設備４００にも本発明を適用可能である。上記複数の通路部４１１は、正面視（図１１の左方から見た状態）で断面形状がＨ状の部材を上下に複数段積層させることによって構成されている。なお、図１１では、本配管１２および予備配管１３を図示していないが、各通路部２１１に両配管１２，１３が接続されている。
【００６３】
また、圧力センサ２３，２５を操作室２以外の場所に設けるようにしてもよい。また、操作室２を取水塔１以外の、別棟で設けられた例えば管理用建物内に配設するようにしてもよい。
【００６４】
また、上記実施形態では、本配管１２の使用不能時に代用される予備配管１３に圧力センサ２５を設け、その予備配管１３の圧力センサ２５によって取水管１１Ａの気圧を測定する構成について示したが、これに限らず、取水管１１Ａの頂部１１ｄ近傍にセンサ専用の配管を接続し、この配管に設けた圧力センサによって当該配管を介して取水管１１Ａ内の気圧を測定するように構成してもよい。
【００６５】
また、上記実施形態では、ダム湖５０の水深を測定するのにフロート式水位計３を用いたが、これに限らず、圧力式の水位計を用いてダム湖５０の水深を測定する構成であってもよい。
【図面の簡単な説明】
【００６６】
【図１】本発明の第１実施形態による取水設備の全体構成を示した側面図である。
【図２】図１に示した取水塔であり、（ａ）は図１中のＡ−Ａ線に沿った拡大断面図、（ｂ）は図１中のＢ−Ｂ線に沿った拡大断面図である。
【図３】図１に示した取水設備の構成を概略的に示した説明図である。
【図４】（ａ）は通水状態の取水管の側面断面図であり、（ｂ）は止水状態の取水管の側面断面図である。
【図５】第１実施形態の取水設備の操作室の構成を概略的に示した説明図である。
【図６】図５に示した取水設備において予備配管により給排気を行う場合の操作室の構成を概略的に示した説明図である。
【図７】第２実施形態による取水設備の操作室の構成を概略的に示した説明図である。
【図８】図７に示した取水設備において予備配管により給排気を行う場合の操作室の構成を概略的に示した説明図である。
【図９】第１実施形態の変形例による取水設備の操作室の構成を概略的に示した説明図である。
【図１０】図９に示した取水設備において予備配管により給排気を行う場合の操作室の構成を概略的に示した説明図である。
【図１１】変形例による略逆Ｖ字状の通路部を備えた取水塔を部分的に示した側面断面図である。
【符号の説明】
【００６７】
２、２０２、３０２  操作室（取水制御部）
３  フロート式水位計
１１Ａ〜１１Ｄ、４１１  取水管（通路部）
１１ｄ  頂部
１２  本配管（第１配管）
１３  予備配管（第２配管）
１６  空気溜り
２３  第１圧力センサ
２４，２６  センサ用配管
２４ｂ  本配管側管部
２５  第２圧力センサ（圧力センサ）
２７  バイパス管
２８ｂ，２８ｅ  各バルブ
５０  ダム湖
１００、４００  取水設備
【図１】
2009228258.tif 000003
【図２】
2009228258.tif 000004
【図３】
2009228258.tif 000005
【図４】
2009228258.tif 000006
【図５】
2009228258.tif 000007
【図６】
2009228258.tif 000008
【図７】
2009228258.tif 000009
【図８】
2009228258.tif 000010
【図９】
2009228258.tif 000011
【図１０】
2009228258.tif 000012
【図１１】
2009228258.tif 000013